【手続補正書】
【提出日】平成24年10月9日(2012.10.9)
【手続補正１】
【補正対象書類名】特許請求の範囲
【補正対象項目名】全文
【補正方法】変更
【補正の内容】
【特許請求の範囲】
【請求項１】
保管状態と組立状態との間で変形可能な持ち運び可能構造体であって、
可撓性材料からなる基部および複数の側部と、
前記基部と複数の側部との接合部分に位置され、組立状態において基部に適合する形状を形成するように可撓性材料に接続される第１の弾性フレームと、
前記第１の弾性フレームから離間されるように位置されて、前記複数の側部を支持する第２の弾性フレームと、
前記第１および第２の弾性フレームから離間されるように位置されて、前記複数の側部を支持する第３弾性フレームと、
組立状態において、前記基部および複数の側部の可撓性材料によって境界を画されるコンテナを形成するために、持ち上げる形で前記複数の側部の可撓性材料を支持する、上下に折り畳み可能な複数の間隔保持部材とを備え、
前記弾性フレームが曲げられ、かつ、前記複数の間隔保持部材が折り畳まれると、持ち運び可能構造体が保管状態を取ることが可能となり、保管状態において、弾性フレームが曲げられていること、および前記複数の間隔保持部材が折り畳まれていることの少なくとも一方により、持ち運び可能構造体を保管状態から組立状態へ移行させるためのエネルギーが形成されることを特徴とする持ち運び可能構造体。
【請求項２】
保管状態と組立状態との間で変形可能な持ち運び可能構造体であって、
可撓性材料からなる基部および複数の側部と、
前記基部と複数の側部との接合部分に位置され、組立状態において基部に適合する形状を形成するように可撓性材料に接続される第１の弾性フレームと、
前記第１の弾性フレームから離間されるように位置されて、前記複数の側部を支持する第２の弾性フレームと、
前記第１および第２の弾性フレームから離間されるように位置されて、前記複数の側部を支持する第３弾性フレームと、
組立状態において、前記基部および複数の側部の可撓性材料によって境界を画されるコンテナを形成するために、持ち上げる形で前記複数の側部の可撓性材料を支持する、上下に折り畳み可能な複数の間隔保持部材とを備え、
垂直軸を基準にした前記持ち運び可能構造体の直径が、前記第１の弾性フレームから第２および第３の弾性フレームに向かって減少していき、切頂形の持ち運び可能構造体を形成することと、
前記弾性フレームが曲げられ、かつ、前記複数の間隔保持部材が折り畳まれると、持ち運び可能構造体が保管状態を取ることが可能となり、保管状態において、弾性フレームが曲げられていること、および前記複数の間隔保持部材が折り畳まれていることの少なくとも一方により、持ち運び可能構造体を保管状態から組立状態へ移行させるためのエネルギーが形成されることを特徴とする持ち運び可能構造体。
【請求項３】
前記第１、第２および第３の弾性フレームの少なくともいずれかが、曲げられたときに曲げられていない形状、すなわち直線形状に自然に戻ろうとする、ばね鋼、コイルばね鋼、螺旋状に巻かれたばね鋼、ガラス繊維、可撓性プラスチック材料、プレストレスト材料および他の任意の材料のうちの任意の１つまたは複数から作られる、請求項１または２に記載の持ち運び可能構造体。
【請求項４】
前記第１の弾性フレームが、前記可撓性材料によって形成される１つまたは複数のポケットおよびループの一方の中に設けられる、請求項１乃至３のいずれか１項に記載の持ち運び可能構造体。
【請求項５】
前記第２および第３の弾性フレームの少なくともいずれかが、前記可撓性材料によって形成される１つまたは複数のポケットおよびループの一方の中に設けられる、請求項２乃至４のいずれか１項に記載の持ち運び可能構造体。
【請求項６】
前記ポケットのそれぞれが連続しており、前記弾性フレームの少なくとも１つを囲んでいる、請求項４または５記載の持ち運び可能構造体。
【請求項７】
前記持ち運び可能構造体の垂直軸に対する断面が円形、三角形、正方形および多角形のいずれかである、請求項１乃至６のいずれか１項に記載の持ち運び可能構造体。
【請求項８】
前記弾性フレームの少なくとも１つが、断面形状が円形、三角形、正方形および多角形のいずれかとなるように成形される、請求項７に記載の持ち運び可能構造体。
【請求項９】
前記複数の間隔保持部材が前記可撓性材料によって形成される１つまたは複数のポケットの中に設けられる、請求項１乃至８のいずれか１項に記載の持ち運び可能構造体。
【請求項１０】
前記複数の間隔保持部材が、曲げられたときに曲げられていない形状、すなわち直線形状に自然に戻ろうとする、ばね鋼、コイルばね鋼、螺旋状に巻かれたばね鋼、ガラス繊維、可撓性プラスチック材料、プレストレスト材料および他の任意の材料のうちの任意の１つまたは複数から作られる、請求項１乃至９のいずれか１項に記載の持ち運び可能構造体。
【請求項１１】
前記可撓性材料が、織物、プラスチック材料、ポリ塩化ビニル（ＰＶＣ）およびポリエチレン（ＰＥ）の少なくとも一方、および他の適当な材料のうちの１つまたは複数によって形成される、請求項１乃至１０のいずれか１項に記載の持ち運び可能構造体。
【請求項１２】
前記材料が耐久性および耐水性を有する、請求項１１に記載の持ち運び可能構造体。
【請求項１３】
前記持ち運び可能構造体が、汎用の水コンテナ、水遊び用プール、ベビーサークルおよびボールプールのいずれかの形態の持ち運び可能構造体を形成する、請求項１乃至１２のいずれか１項に記載の持ち運び可能構造体。
【請求項１４】
前記持ち運び可能構造体が、基部および複数の側部を有する場合に、持ち運び可能構造体を部分的または全体的に覆う頂部をさらに有する、請求項１乃至１３のいずれか１項に記載の持ち運び可能構造体。
【請求項１５】
前記頂部が着脱可能であり、前記基部および複数の側部に対して分離している、請求項１４に記載の持ち運び可能構造体。
【請求項１６】
前記着脱可能な頂部が、組立状態と保管状態との間で変形可能であるフレームを有する、請求項１５に記載の持ち運び可能構造体。
【請求項１７】
前記頂部が前記基部および複数の側部と一体である、請求項１４に記載の持ち運び可能構造体。
【請求項１８】
前記頂部が、前記持ち運び可能構造体を日光から遮るために設けられたシェードである、請求項１４乃至１７のいずれか１項に記載の持ち運び可能構造体。
【請求項１９】
前記複数の側部が、前記持ち運び可能構造体の内側に人ひとりが出入りすることができる１つまたは複数の開口部を有する、請求項１乃至１８のいずれか１項に記載の持ち運び可能構造体。
【請求項２０】
前記持ち運び可能構造体が、組立状態と保管状態との両方においてそのすべての構成要素が備え付けられるように構成される、請求項１乃至１９のいずれか１項に記載の持ち運び可能構造体。
【請求項２１】
前記持ち運び可能構造体が、構成要素を取り付けられたり取り外されたりすることなく組立状態および保管状態になることができる一体型の持ち運び可能構造体を形成するように構成される、請求項１乃至２０のいずれか１項に記載の持ち運び可能構造体。
【請求項２２】
前記複数の側部が、水の密度より低い材料からなる１つまたは複数の部分を有する、請求項１乃至２１のいずれか１項に記載の持ち運び可能構造体。
【請求項２３】
前記材料からなる１つまたは複数の部分が、前記基部から離れて前記複数の側部の上側縁部のところに設けられる、請求２２に記載の持ち運び可能構造体。
【請求項２４】
前記材料からなる１つまたは複数の部分が、前記複数の側部のそれぞれの上側縁部と下側縁部との間に離間するように設けられる、請求項２２または２３に記載の持ち運び可能構造体。
【請求項２５】
請求項１乃至２４のいずれか１項に記載の持ち運び可能構造体を保管する方法であって、
組立状態にある前記持ち運び可能構造体を用意する工程と、
前記側部の頂部と側部の底部を１つにまとめるために前記複数の側部を半分に折り畳む工程であって、前記複数の間隔保持部材によって生じる抵抗力に逆らいながら、前記複数の間隔保持部材を折り畳むことにより平坦な構造体を形成する工程と、
最初に折り畳むことにより、前記弾性フレームによって生じる抵抗力に逆らいながら、前記弾性フレームをコイル状に巻きまたは曲げ、次いで、すべての前記フレームが一体にまとまるまで前記弾性フレームを小さなコイル状または曲げられた状態となるようにまとめる工程と、
それによって前記持ち運び可能構造体を保管状態にする工程とからなる方法。
【請求項２６】
請求項１乃至２４のいずれか１項に記載の持ち運び可能構造体を組み立てる方法であって、
保管状態にある前記持ち運び可能構造体を用意する工程と、
前記弾性フレームが有する戻ろうとする力の影響を受けて、コイル状または曲げられた状態から展開することにより前記弾性フレームを伸ばす工程と、
前記複数の間隔保持部材が有する戻ろうとする力の影響を受けて、前記複数の側部を広げて前記側部の頂部と前記側部の底部とを離間させる工程と、
その結果として前記持ち運び可能構造体を組立状態にする工程とからなる方法。
【請求項２７】
前記弾性フレームが少なくとも２回巻かれることによりコイル状となり一体にまとめられる、請求項２５または２６に記載の方法。